(57)【特許請求の範囲】
【請求項１】
高所に設置して下方を照明する街灯であって、
表示板を立てた状態にして設置する設置部がフレーム上部中央に設けられているとともに、該設置部の下方の両側に位置するようにフレーム内に収納されて表示板と平行に延在する一対の発光部が設けられており、
フレームには、発光部の下側の光を下方に透過させて投光する一枚の下方投光部と、発光部の上側の光を上方に透過させて投光する該発光部毎の一対の上方投光部と、発光部の上側の光のうちの外方に投光する範囲の光を上部の表示板に向かうように反射する該発光部毎の一対の反射板と、が発光部と平行に延在するように設けられて、
表示板の両面側の下部のそれぞれに平行に延在する状態に配置されている発光部、上方投光部および反射板により該表示板の両面の底辺側から当該表示板の両面の全面を照明することを特徴とする街灯。
【発明の詳細な説明】
【技術分野】
【０００１】
本発明は、街灯に関し、詳しくは、設置場所の路面などを照明するだけではなく、その上方にも投光して照明することのできるものに関する。
【背景技術】
【０００２】
従来より、夜間の歩行や車両の走行の安全を確保するように、夜間に路面などを照明する街灯が設置されており、特に、電柱などには送電線が架設されて容易に電力供給を受けることができるので、多くの街灯が電柱に設置されている。
【０００３】
このような街灯は、下方の路面などを照明する必要があることから、電球や蛍光灯などの発光部の上部に反射板を設置することにより、その発光部から出射される光（光量）を無駄なく下方に反射して照明することができるように設計されている（例えば、特許文献１参照）。
【特許文献１】特開平７−１４１９０５号公報
【発明の開示】
【発明が解決しようとする課題】
【０００４】
しかしながら、このような従来の街灯にあっては、下方の路面などを照明するために上部に反射板などが配設されていることから、街灯の上方を照明することができず、逆に、夜間の下方の照明により上方が見え難くなっていた。
【０００５】
そこで、本発明は、下方に加えて上方にも投光することにより、下方と同時に上方も照明できるようにして、夜間に上方も見え易くすることのできる街灯を提供することを目的とする。
【課題を解決するための手段】
【０００６】
上記課題を解決する街灯の第１の発明は、高所に設置して下方を照明する街灯であって、発光する発光部と、該発光部の光を下方に投光する下方投光部と、発光部の光を上方に投光する上方投光部と、を備えて、下方投光部は、発光部の下側の光を下方に投光する一方、上方投光部は、発光部の上側の光を上方に投光することを特徴とするものである。
【０００７】
この発明では、発光部の下側の光が下方投光部により下方に投光されるのに加えて、発光部の上側の光が上方投光部により上方に投光されて、下方と共に上方も照明される。したがって、下方の路面などだけでなく（下方の照明を遮ることなく）、上方の部材などにも光を当てることができ、上方の表示などを夜間でも見易くすることができる。
【０００８】
上記課題を解決する街灯の第２の発明は、上記第１の発明の特定事項に加え、前記下方投光部と上方投光部の間に進行する光を該下方投光部または上方投光部の一方あるいは双方に反射する反射板を備えることを特徴とするものである。
【０００９】
この発明では、下方投光部と上方投光部の間に進行する発光部から光が反射板に反射されてその下方投光部または上方投光部から投光される。したがって、発光部からの光を無駄なく投光することができ、発光部の光量を無駄に大きくする必要をなくすことができる。
【００１０】
上記課題を解決する街灯の第３の発明は、上記第１または第２の発明の特定事項に加え、前記上方投光部の上方に投光する光により照明する表示板を設置可能な設置部が設けられていることを特徴とするものである。
前記発光部、上方投光部および下方投光部は、表示部の両側に配設されて、該表示板の両面側を照明するようにしてもよい。
【００１１】
この発明では、上方投光部からの投光により上部に設置された表示板を照明することができる。したがって、上部に看板などの表示板を容易に設置することができ、夜間でも見易い表示として利用することができる。
【発明の効果】
【００１２】
このように本発明によれば、発光部からの光を下方だけでなく上方にも投光して照明することができ、下方の路面などとともに上方の表示なども見易くすることができる。したがって、下方の照明を妨げることなく、上方の表示などを夜間でも見易くすることができ、路上などの安全を確保しつつ所望の情報を報知することができる。
【発明を実施するための最良の形態】
【００１３】
本発明の実施形態としては、上記の課題解決手段を基本構成とするのに加えて、表示板を立てた状態にして設置する設置部がフレーム上部中央に設けられているとともに、該設置部の下方の両側に位置するようにフレーム内に収納されて表示板と平行に延在する一対の発光部が設けられており、フレームには、発光部の下側の光を下方に透過させて投光する一枚の下方投光部と、発光部の上側の光を上方に透過させて投光する該発光部毎の一対の上方投光部と、発光部の上側の光のうちの外方に投光する範囲の光を上部の表示板に向かうように反射する該発光部毎の一対の反射板と、が発光部と平行に延在するように設けられて、表示板の両面側の下部のそれぞれに平行に延在する状態に配置されている発光部、上方投光部および反射板により該表示板の両面の底辺側から当該表示板の両面の全面を照明するように構成してもよい。
以下、本発明の最良の実施形態を図面に基づいて説明する。図１〜図３は本発明に係る街灯の一実施形態を示す図である。
【００１４】
図１および図２において、街灯１０は、外装フレーム１１の側面から側方に突出する取付部１２の上下を、電柱１００の外周面に巻き付けるベルト部材１０１により固定して取り付けるようになっており、この街灯１０は、取付部１２に連続する基幹部１３に外装フレーム１１を支持させているとともに、その基幹部１３の斜め下の両側に２本の蛍光灯（発光部）１４をセットして周囲を照明するように設計されている。なお、この街灯１０は、図示することは省略するが、外装フレーム１１内の基幹部１３内に取付部１２を介して電柱１００の変圧器から引き込んだ電線を制御基板に接続することにより、例えば、周囲の明るさに応じた蛍光灯１４の点灯制御を実行することができる。
【００１５】
外装フレーム１１は、周縁部２１の上面側が基幹部１３に支持されており、この周縁部２１の下面側の略全面に透明のアクリル板（下方投光部）２２が嵌め込まれている。これにより、水平方向に並列されている２本の蛍光灯１４からの発光は、その下面側のアクリル板２２を介して下方に投光されて、電柱１００の設置されている下方の路面を照明することができる。
【００１６】
そして、この街灯１０の外装フレーム１１は、周縁部２１の上部と基幹部１３との間に枠部材２３がボルトＢによりネジ止めされており、この基幹部１３の両側に配置された枠部材２３にも透明のアクリル板（上方投光部）２４が嵌め込まれている。これにより、水平方向に並列されている２本の蛍光灯１４からの発光は、その上面側で並列されているアクリル板２４のそれぞれを介して上方に投光されて、上方を照明することができる。
【００１７】
また、この外装フレーム１１は、蛍光灯１４の外側に隣接する箇所（下方投光部と上方投光部の間）に、その蛍光灯１４からの発光を内方の上側に反射する反射板２５が固設されている。これにより、横方向外方に投光される蛍光灯１４からの発光は、反射板２５により無駄なく上面側に反射されて、アクリル板２４を介して上方に投光することができ、蛍光灯１４の光量を有効に利用、言い換えると、無駄に消費電力の大きな蛍光灯１４にする必要をなくすことができる。なお、ここでは、反射板２５が蛍光灯１４からの発光を上方に反射するように設定する場合を一例に説明するが、これに限るものではなく、照明する路面をより明るくしたい場合など必要に応じて下方に反射する反射板を取り付けても良いことは言うまでもない。
【００１８】
さらに、この街灯１０は、基幹部１３の上部（設置部）に表示板１５の下部をボルトＢとナットＮによりネジ止めするようになっており、この表示板１５の上部は、電柱１００にベルト部材１０１を巻き付けて固定した上部フレーム１６に嵌め込んで保持させるように設計されている。これにより、街灯１０上部の上面側のアクリル板２４を介して照明される位置には、一面側または両面側に広告などの所望の各種情報を表示する表示板１５を容易にセットすることができ、近隣の住人などに周知させたい各種情報などを表示して報知することができる。
【００１９】
したがって、この街灯１０は、上部に立てた状態で固定した表示板１５の全面を底辺側の両側から照明して夜間でも視認可能に表示することができ、路面などの下方を照明する一般的な機能に加えて、上方の表示板１５をも照明する機能を付加することができ、その路上を通行する人が表示板１５を見易くすることができ、所望の情報を報知することができる。
【００２０】
ここで、この街灯１０の上面に設置する枠部材２３は、図３（ａ）に示すように、コの字形状部材３１およびＩ字形状部材３２の内面に形成された溝３１ａ（Ｉ字形状部材３２の溝は不図示）内にアクリル板２４を差し込むようになっており、そのコの字形状部材３１にＩ字形状部材３２をボルトＢでネジ止めすることにより組み立てるように設計されている。
【００２１】
また、この枠部材２３は、雨水などが内部に浸入しないように、外装フレーム１１の周縁部２１と基幹部１３の互いに対向する部位に形成されているフランジ形状部２１ａ、１３ａとの間に同一形状のゴム製のパッキン３３を挟み込むように載置してボルトＢでネジ止めして液密に設置するようになっており、この枠部材２３に取り付けるアクリル板２４は、図３（ｂ）に示すように、外周縁にゴム製のパッキン３４が取り付けられてコの字形状部材３１とＩ字形状部材３２の内面側に液密に組み付けられる。
【００２２】
このように本実施形態においては、蛍光灯１４からの発光を下方だけでなく上方にも投光して照明することができ、下方の路面などとともに上部に設置した表示板１５も見易くすることができる。したがって、下方の路面への照明を妨げることなく、上方の表示板１５を夜間でも見易くすることができ、路上などの安全を確保しつつ表示板１５に表示した内容を歩行者などに報知することができる。
【産業上の利用可能性】
【００２３】
これまで本発明の一実施形態について説明したが、本発明は上述の実施形態に限定されず、その技術的思想の範囲内において種々異なる形態にて実施されてよいことは言うまでもない。例えば、この街灯１０では、表示板１５を設置可能に設計されているが、これに限るものではなく、別個に設置されている看板などの表示を照明可能に設計してよいことは言うまでもない。
【図面の簡単な説明】
【００２４】
【図１】本発明に係る街灯の一実施形態を示す図であり、その概略全体構成を示す外観斜視図である。
【図２】その内部構成を示す一部断面透視図である。
【図３】その要部部品を示す図であり、（ａ）はその分解斜視図、（ｂ）はその一部品の断面図である。
【符号の説明】
【００２５】
１０……街灯    １１……外装フレーム    １２……取付部    １３……基幹部    １３ａ、２１ａ……フランジ形状部    １４……蛍光灯    １５……表示板    １６……上部フレーム    ２１……周縁部    ２２、２４……アクリル板    ２３……枠部材    ２５……反射板    ３１ａ、３２ａ……溝    ３３、３４……パッキン    １００……電柱    １０１……ベルト部材    Ｂ……ボルト    Ｎ……ナット
【図１】
0004601540.tif 000002
【図２】
0004601540.tif 000003
【図３】
0004601540.tif 000004